(57)【要約】【課題】スリット部からの光量を増加できるライン状照明装置を提供する。【解決手段】レンズ１７の光入射面１７ａが、中空部２の内面６よりも中空部２内側に突出しているため、レンズ１７を透過して外部へ照射される光量が増加する。【選択図】図６
2008117711.tif 000002
【特許請求の範囲】
【請求項１】
内面に鏡面反射機能が付与された断面楕円形の中空部を有する筒状体と、前記筒状体の長手方向に沿って形成されたスリット部と、該スリット部内に組み込まれ中空部側を光入射面とし且つ反中空部側を光出射面とした透明なレンズと、を備え、前記中空部内に照射される光を中空部内面で反射して前記スリット部の前記レンズから前記筒状体の外に照射するライン状照明装置であって、
前記レンズの光入射面が、中空部の内面よりも中空部内側に突出していることを特徴とするライン状照明装置。
【請求項２】
請求項１記載のライン状照明装置であって、
前記光源が中空部の第１焦点に位置し、前記レンズの光入射面が前記中空部の第２焦点に位置していることを特徴とするライン状照明装置。
【請求項３】
請求項１または２記載のライン状照明装置であって、
前記中空部内に光を照射する光源をさらに備え、
前記光源は、前記筒状体の両端又は一端において前記筒状体の中空部内に向けて光を照射するように配置されていることを特徴とするライン状照明装置。
【請求項４】
請求項１または２記載のライン状照明装置であって、
前記中空部内に光を照射する光源をさらに備え、
前記光源は、前記筒状体の長手方向途中位置に形成された開口から中空部内に挿入されていることを特徴とするライン状照明装置。
【請求項５】
請求項１〜４のいずれか１項に記載のライン状照明装置であって、
前記光入射面の幅サイズが前記スリット部の幅サイズよりも大きいことを特徴とするライン状照明装置。
【請求項６】
請求項１〜５のいずれか１項に記載のライン状照明装置であって、
前記筒状体が、当該筒状体の長手方向に沿って分割された２つの半割体で構成され、両半割体における一方の端部間に前記スリット部が形成されていることを特徴とするライン状照明装置。
【請求項７】
請求項６記載のライン状照明装置であって、
両半割体の一方の端部には、前記筒状体の外側に向けて突出し且つ前記スリット部を介して互いに対向するフランジが設けられ、前記フランジに孔部が貫通形成され、該スリット部内に組み込まれるレンズの両面から突出形成され且つ前記フランジの孔部を貫通するボス部が設けられ、前記ボス部のうち前記フランジの孔部から突出した部分がフランジに対して溶着されていることを特徴とするライン状照明装置。
【請求項８】
請求項６記載のライン状照明装置であって、
両半割体の一方の端部には、前記筒状体の外側に向けて突出し且つ前記スリット部を介して互いに対向するフランジが設けられ、該スリット部内に組み込まれるレンズの両面および前記スリット部の両面の一方には凹溝が形成されるとともに、他方には前記凹溝に圧入嵌合されるリブが突設されていることを特徴とするライン状照明装置。
【請求項９】
請求項２〜８のいずれか１項に記載のライン状照明装置であって、
前記光源がＬＥＤであることを特徴とするライン状照明装置。
【発明の詳細な説明】
【技術分野】
【０００１】
本発明は、自動車の装飾用照明や信号灯に利用可能なライン状照明装置に関するものである。
【背景技術】
【０００２】
ライン状の発光を得るライン状照明装置としては、従来より、内面を鏡面研磨した金属製の丸パイプにライン状のスリット部を形成し、丸パイプの両端に配置した光源から、丸パイプ内に光を照射する構造のものが知られている。丸パイプ内に照射された光は、丸パイプ内で反射を繰り返しながら、スリット部から外部へ照射され、ライン状の発光を得ることができる。スリット部には埃よけ兼用のレンズが外側から貼り付けられている（例えば、特許文献１参照）。
【特許文献１】特開平１１−２０３９１９号公報
【発明の開示】
【発明が解決しようとする課題】
【０００３】
しかしながら、このような従来の技術にあっては、丸パイプ内で反射しながら進む光のうち、完全にスリット部から外部に出た光だけが、レンズを介して外部に照射されることになる。そのため、外部へ照射される光量が少ない。特に、丸パイプを樹脂成形等により肉厚に形成する場合、スリット部の深さが増し、その分、光がスリット部から外部に出にくくなって、光量が低下する。
【０００４】
本発明は、このような従来の技術に着目してなされたものであり、スリット部からの光量を増加できるライン状照明装置を提供するものである。
【課題を解決するための手段】
【０００５】
請求項１記載の発明は、内面に鏡面反射機能が付与された断面楕円形の中空部を有する筒状体と、前記筒状体の長手方向に沿って形成されたスリット部と、該スリット部内に組み込まれ中空部側を光入射面とし且つ反中空部側を光出射面とした透明なレンズと、を備え、前記中空部内に照射される光を中空部内面で反射して前記スリット部の前記レンズから前記筒状体の外に照射するライン状照明装置であって、前記レンズの光入射面が、中空部の内面よりも中空部内側に突出していることを特徴とする。
【０００６】
請求項２記載のライン状照明装置は、請求項１記載のライン状照明装置であって、
前記光源が中空部の第１焦点に位置し、レンズの光入射面が中空部の第２焦点に位置していることを特徴とする。
【０００７】
請求項３記載のライン状照明装置は、請求項１または２記載のライン状照明装置であって、前記中空部内に光を照射する光源をさらに備え、前記光源は、前記筒状体の両端又は一端において前記筒状体の中空部内に向けて光を照射するように配置されていることを特徴とする。
【０００８】
請求項４記載のライン状照明装置は、
請求項１または２記載のライン状照明装置であって、前記中空部内に光を照射する光源をさらに備え、前記光源は、前記筒状体の長手方向途中位置に形成された開口から中空部内に挿入されていることを特徴とする。
【０００９】
請求項５記載のライン状照明装置は、請求項１〜４のいずれか１項に記載のライン状照明装置であって、前記光入射面の幅サイズが前記スリット部の幅サイズよりも大きいことを特徴とする。
【００１０】
請求項６記載のライン状照明装置は、請求項１〜５のいずれか１項に記載のライン状照明装置であって、前記筒状体が、当該筒状体の長手方向に沿って分割された２つの半割体で構成され、両半割体における一方の端部間に前記スリット部が形成されていることを特徴とする。
【００１１】
請求項７記載のライン状照明装置は、請求項６記載のライン状照明装置であって、両半割体の一方の端部には、前記筒状体の外側に向けて突出し且つ前記スリット部を介して互いに対向するフランジが設けられ、前記フランジに孔部が貫通形成され、該スリット部内に組み込まれるレンズの両面から突出形成され且つ前記フランジの孔部を貫通するボス部が設けられ、前記ボス部のうち前記フランジの孔部から突出した部分がフランジに対して溶着されていることを特徴とする。
【００１２】
請求項８記載のライン状照明装置は、請求項６記載のライン状照明装置であって、両半割体の一方の端部には、前記筒状体の外側に向けて突出し且つ前記スリット部を介して互いに対向するフランジが設けられ、該スリット部内に組み込まれるレンズの両面および前記スリット部の両面の一方には凹溝が形成されるとともに、他方には前記凹溝に圧入嵌合されるリブが突設されていることを特徴とする。
【００１３】
請求項９記載のライン状照明装置は、請求項２〜８のいずれか１項に記載のライン状照明装置であって、前記光源がＬＥＤであることを特徴とする。
【発明の効果】
【００１４】
請求項１記載の発明によれば、レンズの光入射面が、中空部の内面よりも中空部内に突出しているため、中空部内に照射された光が、レンズの光入射面から取り込まれ易くなり、レンズを透過して外部へ照射される光量が増加する。
【００１５】
請求項２記載の発明によれば、光源が断面楕円形の中空部の第１焦点に位置しているため、光源から発せられて中空部の内面で反射された殆ど全ての光は、中空部の第２焦点に集光する。第２焦点にはレンズの光入射面が位置しているため、集光された光は光入射面からレンズ内に取り込まれ、反対側の光出射面より外部へ照射される。このように、中空部の内面で反射された光の殆ど全てを光入射面からレンズ内に取り込めるため、光出射面から外部へ照射される光量が増加する。
【００１６】
請求項３記載の発明によれば、ライン状照明装置が光源を備える場合において筒状体の長手方向端部に光源が配置されるため、筒状体の長手方向途中部分に開口などを設ける必要がないため、光源の配置が容易となる。
【００１７】
請求項４記載の発明によれば、ライン状照明装置が光源を備える場合において筒状体の長手方向途中位置に設けられた開口に光源が配置されるため、１つの光源で筒状体の長手方向にわたって略均一な光量分布が得やすい。また、筒状体の長手方向途中位置に光源が配置されていると、筒状体の長手方向端部に光源を配置した場合よりも、複数の筒状体を長手方向につなぎ合わせやすくなる。
【００１８】
請求項５記載の発明によれば、光入射面の幅サイズがスリット部の幅サイズよりも大きいため、光入射面の面積が拡大する。従って、中空部内で不規則に反射している成分の光をレンズ内に取り入れ易くなり、光量増加を図ることができる。
【００１９】
請求項６記載の発明によれば、筒状体が２つの半割体で形成され、その一方の端部間にスリット部が形成されているため、スリット部を切削加工する必要がない。また、中空部の内面に鏡面反射機能を付与する加工（蒸着、塗装など）も容易に行える。
【００２０】
請求項７記載の発明によれば、レンズのボス部を溶着することで、２つの半割体が１つのレンズを介して一体化されることとなり、組み付け作業が容易になる。
【００２１】
請求項８記載の発明によれば、２つの半割体の間にレンズを挟み込むようにして組み合わせることで、凹溝にリブが圧入嵌合されて、２つの半割体がレンズを介して一体化されることとなる。そのため、溶着工程を有する場合よりもさらに組み付け作業が容易となる。
【００２２】
請求項９記載の発明によれば、光源がＬＥＤであるため、小径の筒状体にも適応することができる。
【発明を実施するための最良の形態】
【００２３】
本発明は、スリット部からの光量を増加できるライン状照明装置を提供するという目的を、内面に鏡面反射機能が付与された断面楕円形の中空部を有する筒状体に、長手方向に沿うスリット部を形成すると共に、該スリット部内に中空部側を光入射面とし且つ反中空部側を光出射面とした透明なレンズを組み込み、前記中空部内に照射される光を中空部内面で反射して前記スリット部の前記レンズから前記筒状体の外に照射するライン状照明装置であって、前記レンズの光入射面が前記中空部の内面よりも中空部内に突出することで、実現した。以下、本発明の実施例を図面に基づいて説明する。以下の実施例で、共通する部分には同一の符号を付し、重複する説明は省略する。
【実施例１】
【００２４】
図１〜図７は、本発明の第１実施例を示す図である。この実施例では、自動車の車室内に設置される装飾用としてのライン状照明装置を示す。このライン状照明装置１は、断面楕円形の中空部２を有する直線状に長い筒状体３を備えている。筒状体３は断面方向で分割された２つの半割体４、５から形成されている。各半割体４、５は熱可塑性樹脂により射出成形されたもので、所定の厚さを有している。
【００２５】
中空部２の内面６には鏡面反射機能が付与されている。鏡面反射機能は、内面６にアルミ蒸着や反射塗装を形成することにより付与される。反射塗装としては、白色顔料や散乱材等の反射材を含む塗料を用いて形成することが好ましく、ここで白色顔料や散乱材としては、シリコーン樹脂粒子やポリスチレン樹脂粒子等の透明有機樹脂粒子、酸化アルミや酸化チタン等の金属酸化物粒子、硫酸バリウム等の硫酸塩粒子、炭酸カルシウム等の炭酸塩粒子、ガラス微粉末やガラスバルーンなどの無機化合物粒子、ミクロエアーセル等が挙げられ、これらの１種を単独で又は２種以上を併用して使用することができる。塗料としては、アクリル樹脂、ウレタン樹脂、エポキシ樹脂等の熱硬化性樹脂、或いはアクリル系、ゴム系、エラストマー系等の粘着剤をバインダーとするものを用いることができる。筒状体３が２つの半割体４、５に分割されているため、各半割体４、５の内面に鏡面反射機能を施す作業が行い易い。
【００２６】
半割体４、５の一方の端部には、外側に向けて突出したフランジ７、８が半割体４、５の長手方向に沿って形成されている。このフランジ７、８は所定間隔を介して対向しており、両フランジ７、８間に中空部２に連通するスリット部Ｓが形成される。半割体４、５の他方の端部には、互いに断面クランク状に係合する段部９、１０が形成されている。また、半割体４、５の他方の端部には所定間隔ごとにタブ１１、１２が形成されている。半割体４、５のタブ１１、１２は互いに位置が対応し、重合された状態で一体化し、車体への取付けにために使用される。筒状体３が２つの半割体４、５で形成され、その半割体４、５を組み合わせるだけで、フランジ７、８間にスリット部Ｓが形成されているため、従来のパイプ部材のように、スリット部Ｓを切削加工する必要がない。
【００２７】
フランジ７、８の対向面には、所定深さの凹溝１３、１４が長手方向に沿って形成されている。また、凹溝１３、１４の底部には所定間隔ごとにフランジ７、８を貫通する円形の孔部１５、１６が形成されている。
【００２８】
フランジ７、８間に形成されたスリット部Ｓ内には、スリット部Ｓに相応する形状のレンズ１７が嵌合される。レンズ１７を構成する材料としては、屈折率が高い透明材料が用いられ、プラスチック、エラストマーなどの中から目的に応じて選択することができる。レンズ１７の構成材料の具体例としては、ポリスチレン、スチレン・メチルメタクリレート共重合体、（メタ）アクリル樹脂、ポリメチルペンテン、アリルグリコールカーボネート樹脂、スピラン樹脂、アモルファスポリオレフィン、ポリカーボネート、ポリアミド、ポリアリレート、ポリサルホン、ポリアリルサルホン、ポリエーテルサルホン、ポリエーテルイミド、ポリイミド、ジアリルフタレート、フッ素樹脂、ポリエステルカーボネート、ノルボルネン系樹脂（ＡＲＴＯＮ）、脂環式アクリル樹脂（オプトレッツ）、シリコン樹脂、アクリルゴム、シリコンゴム等の透明材料が挙げられる。
【００２９】
このレンズ１７は、基本的に断面十字状で、中空部２側は中空部２内に突出した平坦な光入射面１７ａで、反対側はフランジ７、８の先端面に合致した平坦な光出射面１７ｂとなっている。レンズ１７の光入射面１７ａの位置は、断面楕円形の中空部２の第２焦点Ｆ２に合致している。
【００３０】
また、レンズ１７には、フランジ７、８の凹溝１３、１４内に嵌合されるリブ２７ｅ、１７ｆが長手方向に沿って形成されている。このリブ１７ｅ、１７ｆにはフランジ７、８の孔部１５、１６に対応する位置にボス部１８、１９が突出形成されている。このボス部１８、１９は、図４に示すように、レンズ１７を２つの半割体４、５のフランジ７、８の間に挟んだ際に、その先端部１８ａ、１９ａが孔部１５、１６からフランジ７、８を貫通して他面側に突出する。貫通したボス部１８、１９の先端部１８ａ、１９ａは、図５に示すように、溶着（熱溶着や超音波溶着など）によりカシメられ、フランジ７、８の間にレンズ１７を嵌合した状態で一体化される。レンズ１７を介してフランジ７、８を一体化することにより、半割体４、５の他方側の段部９、１０同士も係合し、レンズ１７を有した筒状体３が完成する。接着剤やファスナ等が不要で、レンズ１７の溶着だけで、組立てが完了するため、作業が容易である。
【００３１】
筒状体３の両端には、内部に光源としてのＬＥＤ２０を有するエンドキャップ２１が取付けられる。ＬＥＤ２０は白色光で、取付けられた状態で、中空部２の第１焦点Ｆ１に位置する。光源としてＬＥＤ２０を利用しているため、筒状体３の小径化にも対応することができる。エンドキャップ２１の内面を反射面（リフレクタ）にしても良い。
【００３２】
本実施例のライン状照明装置１は、以上のごとき構成からなり、以下、その作用について説明する。
【００３３】
まず、筒状体３の両端のＬＥＤ２０を点灯する。図７に示すように、ＬＥＤ２０からの光Ｌは、中空部２の両端から内側に向けて照射され、鏡面反射機能が付与された内面６で反射されながら中空部２内を進む。中空部２内で反射された光Ｌのうち、レンズ１７の光入射面１７ａに入射した光Ｌは、その入射角度により屈折してレンズ１７内に取り込まれ、レンズ１７を透過して、光出射面１７ｂから外部へ出射される。前記反射、屈折、出射は、スネルの法則に従う。光出射面１７ｂがフランジ７、８の間でライン状に現るため、長手方向でムラのないライン状の照明が得られる。
【００３４】
この実施例では、レンズ１７の光入射面１７ａが、中空部２の内面６よりも中空部２内側に突出している場合には、さらに、レンズ１７を透過して外部へ照射される光量が増加する。
【００３５】
特に、この実施例では、ＬＥＤ２０が断面楕円形の中空部２の第１焦点Ｆ１に位置しているため、ＬＥＤ２０から発せられて中空部２の内面６で反射された殆ど全ての光Ｌは、中空部２の第２焦点Ｆ２に集光する。第２焦点Ｆ２にはレンズ１７の光入射面１７ａが位置しているため、集光された光Ｌは光入射面１７ａからレンズ１７内に取り込まれ、反対側の光出射面１７ｂより外部へ照射される。このように、中空部２の内面６で反射された光Ｌの殆ど全てを光入射面１７ａからレンズ１７内に取り込めるため、光出射面１７ｂから外部へ照射される光量が増加する。この実施例のように、各半割体４、５を樹脂で肉厚形成し且つフランジ７、８を形成することで、スリット部Ｓが深くなっても、光入射面１７ａが第２焦点Ｆ２に合致しているため、光Ｌを取り入れ易い。
【００３６】
以上の実施例では、筒状体３の両端に、それぞれＬＥＤ２０を設ける例を示したが、筒状体３の長さが短い場合には、筒状体３のいずれか一方の端部にだけＬＥＤ２０を設けるようにしても良い。また、筒状体３の両端にＬＥＤ２０を設ける場合に、両側のＬＥＤ２０の発光色を異ならせることにより、ライン状の発光をグラデーションにすることができる（両側からの発光色が徐々に変化する）。
【実施例２】
【００３７】
図８は、本実施例の第２実施例を示す図である。この実施例に係るライン状照明装置２２では、レンズ２３の光入射面２３ａを断面ドーム形にして、その先端を中空部２の第２焦点Ｆ２に合致させた。断面ドーム形にしたため、平坦に比べて光入射面２３ａの面積が拡大している。そのため、先の実施例同様に、光入射面２３ａの先端付近で、内面６で反射されて集光した光Ｌを確実にレンズ２３内に取り入れることができるうえに、光入射面２３ａの面積が拡大した分、中空部２内において不規則に反射している成分の光Ｌを、光入射面２３ａからレンズ２３に取り入れ易くなり、更なる光量増加を図ることができる。
【実施例３】
【００３８】
図９は、本実施例の第３実施例を示す図である。この実施例に係るライン状照明装置２４では、レンズ２５の光入射面２５ａの幅サイズＷ１を、スリット部Ｓの幅サイズＷ２よりも大きく広げると共に、光入射面２５ａの中心部を中空部２の第２焦点Ｆ２に合致させた。幅サイズＷ１を大きくしたため、光入射面２５ａの面積が大幅に拡大している。そのため、光入射面２５ａの中心部付近で、内面６で反射されて集光した光Ｌを確実にレンズ２５内に取り入れることができるうえに、光入射面２５ａの面積が大幅に拡大した分、中空部２内において不規則に反射している成分の光Ｌを、より多く光入射面２５ａからレンズ２５に取り入れ易くなり、更なる光量増加を図ることができる。
【実施例４】
【００３９】
図１０及び図１１は、本実施例の第４実施例を示す図である。この実施例に係るライン状照明装置２６では、光源としてのＬＥＤ２７を、筒状体３の長手方向中央位置に設けた例を示す。この実施例の筒状体３も２つの半割体４、５により形成されているが、上側の半割体４の長手方向中央位置に開口３１が形成されており、そこに１つのＬＥＤ２７が設けられている。ＬＥＤ２７は、開口３１内に挿入される筒部３２を有するハウジング３３に収納されている。筒状体３の両端には、単に両端を閉塞するだけのエンドキャップ３４が設けられている。中空部２を閉塞するエンドキャップ３４の端面を反射面（鏡面）にしても良い。
【００４０】
中空部２に挿入されたＬＥＤ２７の発光部は、中空部２の第１焦点Ｆ１に合致し、レンズ１７の平坦な光入射面１７ａは第２焦点Ｆ２に合致している。
【００４１】
ＬＥＤ２７から中空部２内に照射された光Ｌは、中空部２内で反射されながら両端側へ進み、その間で、レンズ１７の光入射面１７ａに入光した光Ｌが、光出射面１７ｂから外部へ照射されるが、先の実施例同様に、ＬＥＤ２７が第１焦点Ｆ１に位置しているため、ＬＥＤ２７から発せられて中空部２の内面６で反射された殆ど全ての光Ｌは、中空部２の第２焦点Ｆ２に集光する。そして、第２焦点Ｆ２と合致した光入射面１７ａから、中空部２の内面６で反射された光Ｌの殆ど全てをレンズ１７内に取り込めるため、光出射面１７ｂから外部へ照射される光量が増加する。
【００４２】
ＬＥＤ２７が中空部２の長手方向中央部に設けられているため、１つのＬＥＤ２７でも筒状体３の長手方向にわたって減衰の少ない光量分布が得やすい。
【００４３】
尚、本実施例では、筒状体３の長手方向中央部にＬＥＤ２７を設ける例を示したが、厳密に中央部でなくても、長手方向の途中部分であれば、略同様の効果が得られる。
【実施例５】
【００４４】
図１２は、本実施例の第５実施例を示す図である。この実施例に係るライン状照明装置３５では、ＬＥＤ２７を筒状体３の長手方向中央部に設けたタイプで、先の第２実施例同様に、レンズ２３の光入射面２３ａを断面ドーム形にして、その先端を中空部２の第２焦点Ｆ２に合致させた。断面ドーム形にしたため、光入射面２３ａの面積が拡大している。そのため、光入射面２３ａの先端付近で、内面６で反射されて集光した光Ｌを確実にレンズ２３内に取り入れることができるうえに、光入射面２３ａの面積が拡大した分、中空部２内において不規則に反射している成分の光Ｌを、光入射面２３ａからレンズ２３に取り入れ易くなり、更なる光量増加を図ることができる。
【実施例６】
【００４５】
図１３は、本実施例の第６実施例を示す図である。この実施例に係るライン状照明装置３６では、ＬＥＤ２７を筒状体３の長手方向中央部に設けたタイプで、先の第３実施例同様に、レンズ２５の光入射面２５ａの幅サイズＷ１を、スリット部Ｓの幅サイズＷ２よりも大きく広げると共に、光入射面２５ａの中心部を中空部２の第２焦点Ｆ２に合致させた。幅サイズＷ１を大きくしたため、光入射面２５ａの面積が大幅に拡大している。そのため、光入射面２５ａの中心部付近で、内面６で反射されて集光した光Ｌを確実にレンズ２５内に取り入れることができるうえに、光入射面２５ａの面積が大幅に拡大した分、中空部２内において不規則に反射している成分の光Ｌを、より多く光入射面２５ａからレンズ２５に取り入れ易くなり、更なる光量増加を図ることができる。
【実施例７】
【００４６】
上述の第１〜第６実施例では、両半割体４、５のフランジ７、８に孔部１５、１６が貫通形成され、フランジ７、８に挟まれるレンズ１７の両面からフランジ７、８の孔部１５、１６を貫通するボス部１８、１９が突出形成され、ボス部１８、１９のうちフランジ７、８の孔部１８、１９から突出した部分１８ａ、１９ａがフランジ７、８に対して溶着されているが、たとえば図示せぬ第７実施例の如く、フランジ１７、１８に孔部（１５、１６）を形成せず且つレンズ１７にボス部（１８、１９）を形成せずに、フランジ７、８の凹溝１３、１４とレンズ１７のリブ１７ｅ、１７ｆの幅寸法を略同一に設定して、フランジ７、８の凹溝１３、１４に対してレンズ１７のリブ１７ｅ、１７ｆを圧入嵌合させることで両半割体４、５を溶着せずに組み付けた構造であってもよい。このような場合、２つの半割体４、５の間にレンズ１７を挟み込むようにして組み合わせることで、凹溝１３、１４にリブ１７ｅ、１７ｆが圧入嵌合されて２つの半割体４、５がレンズ１７を介して一体化されることとなる。そのため、溶着工程を有する場合よりもさらに組み付け作業が容易となる。
【実施例８】
【００４７】
また上述の第１〜第６実施例では、直線状に延びる筒状体３を用いて直線状に光るライン状照明装置を例にしたが、必ずしも厳密な意味で直線状に限定されるものでなく、ゆるやかに湾曲していても良い。
【実施例９】
【００４８】
また上述の第１〜第６実施例では、筒状体３のスリットＳに対して直接レンズ１７を嵌合した構造であるが、筒状体３のスリットＳに対して他の部材とともにレンズ１７を組み込んだ構造であってもよい。例えば、図１４に示すように壁部材Ｗとともにレンズ１７を筒状体３のスリット３内に組み付けることで、ライン状照明装置４３を当該ライン状照明装置４３の取付部としての壁部材Ｗに取り付けることができる。
【産業上の利用可能性】
【００４９】
本発明のライン状照明装置は、図１５に示すように、自動車１００において、ドア開口１１１（乗降口）のステップ部１１３に配置したライン状照明装置１０１Ａや、ドリンクホルダー１１５に配置したライン状照明装置１０１Ｂや、車内トリム１１７に設けたライン状照明装置１０１Ｃや、アシストグリップ１１９に設けたライン状照明装置１０１Ｄや、天井１２０側部に設けたライン状照明装置１０１Ｅや、ピラーに設けた図示せぬライン状照明装置などとして利用することができる。
【００５０】
また本発明のライン状照明装置は、図１６に示すように、車両ヘッドランプ１２１のアウターレンズ１２３に沿って配置されヘッドランプ１２１の光源を取り入れて発光するライン状照明装置１０１Ｆ、１０１Ｇや、車両リアコンビネーションランプやその他の車両用ランプの既存の光源から光を取り入れて発光するライン状照明装置として利用ことができる。
【００５１】
また、以上の実施例では、自動車用に用いられる例を説明したが、自動車用に限られず、その他の乗物や建築物などにも適用できる。
【図面の簡単な説明】
【００５２】
【図１】第１実施例に係るライン状照明装置を示す斜視図。
【図２】図１中矢示ＳＡ−ＳＡ線に沿う断面図。
【図３】ライン状照明装置を示す分解断面図。
【図４】レンズのボス部を半割体のフランジに貫通させた組み付け状態を示すライン状照明装置の断面図。
【図５】ボス部の先端を加熱してカシメた状態を示す図４相当の断面図。
【図６】ボス部以外の部分におけるライン状照明装置の断面図。
【図７】中空部内における光の状況を示すライン状照明装置の断面図。
【図８】第２実施例に係るライン状照明装置を示す断面図。
【図９】第３実施例に係るライン状照明装置を示す断面図。
【図１０】第４実施例に係るライン状照明装置を示す斜視図。
【図１１】第４実施例に係るライン状照明装置を示す断面図。
【図１２】第５実施例に係るライン状照明装置を示す断面図。
【図１３】第６実施例に係るライン状照明装置を示す断面図。
【図１４】第９実施例に係るライン状照明装置を示す断面図。
【図１５】本発明のライン状照明装置を自動車の車室内に適用した例を示す車両の側面図。
【図１６】本発明のライン状照明装置を自動車のヘッドライトに適用した例を示す車両前部の斜視図。
【符号の説明】
【００５３】
１、２２、２４、２６、３５、３６、４３  ライン状照明装置
２  中空部
３  筒状体
４、５  半割体
６  内面
７、８  フランジ
１７、２３、２５  レンズ
１７ａ、２３ａ、２５ａ  光入射面
１７ｂ  光出射面
２０、２７  ＬＥＤ（光源）
Ｓ  スリット部
Ｆ１  第１焦点
Ｆ２  第２焦点
【図１】
2008117711.tif 000003
【図２】
2008117711.tif 000004
【図３】
2008117711.tif 000005
【図４】
2008117711.tif 000006
【図５】
2008117711.tif 000007
【図６】
2008117711.tif 000008
【図７】
2008117711.tif 000009
【図８】
2008117711.tif 000010
【図９】
2008117711.tif 000011
【図１０】
2008117711.tif 000012
【図１１】
2008117711.tif 000013
【図１２】
2008117711.tif 000014
【図１３】
2008117711.tif 000015
【図１４】
2008117711.tif 000016
【図１５】
2008117711.tif 000017
【図１６】
2008117711.tif 000018